【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
圧力の変化を検出する検出素子と、
導電性を有し且つ前記検出素子を内部に収容する第１筐体と、
導電性を有し且つ前記第１筐体を内部に収容する第２筐体と
を備え、
前記第１筐体と前記第２筐体とは電気的に絶縁されていることを特徴とする圧力検出装置。
【請求項２】
絶縁性を有し且つ前記第１筐体と前記第２筐体との間に配置され、当該第１筐体と当該第２筐体とを電気的に絶縁する絶縁部材をさらに含むことを特徴とする請求項１記載の圧力検出装置。
【請求項３】
前記第１筐体は、当該第１筐体の先端側および後端側から前記検出素子を挟むことで当該検出素子に荷重を付与し、
前記第２筐体の先端側に取り付けられ、外部からの圧力を受けて変形する変形部材と、
絶縁性を有し且つ前記第２筐体の内部であって前記変形部材と前記検出素子との間に設けられ、当該変形部材に作用する圧力を当該検出素子に伝達する絶縁伝達部材と、
前記第１筐体を、前記変形部材および前記第２筐体と電気的に絶縁された状態で当該第２筐体に固定する固定部材と
をさらに含むことを特徴とする請求項２記載の圧力検出装置。
【請求項４】
前記第１筐体は、筒状を呈するとともに外周面には外方に突出する突出部を備え、
前記固定部材は、前記絶縁部材を介して前記第２筐体の内周面との間に前記突出部を挟み込むことで、前記第１筐体を当該第２筐体に固定することを特徴とする請求項３記載の圧力検出装置。
【請求項５】
前記第１筐体は、
前記検出素子の外部に配置され、当該検出素子の先端側と電気的に接続され且つ当該検出素子の後端側と電気的に絶縁され、当該検出素子の先端側から荷重を付与する第１付与部材と、
前記第１付与部材の後端側に設けられ、当該第１付与部材と電気的に接続され且つ前記検出素子と電気的に絶縁され、前記第１付与部材に固定されることで当該検出素子の後端側から荷重を付与する第２付与部材と
を有することを特徴とする請求項３記載の圧力検出装置。
【請求項６】
前記第１筐体の内部に収容されるとともに前記検出素子の後端側と電気的に接続されることで、当該検出素子が出力する検出信号を伝導する伝導部材をさらに含み、
前記第１筐体は、前記検出素子の先端側と電気的に接続されるとともに前記伝導部材と電気的に絶縁されることで、当該検出素子のグランドとなることを特徴とする請求項３記載の圧力検出装置。
【請求項７】
筒状の筐体と、
前記筐体の先端側に取り付けられ、当該筐体と電気的に接続され、外部からの圧力を受けて変形する変形部材と、
前記筐体の内部であって前記変形部材の後端側に設けられ、当該変形部材を介して作用する圧力を検出する検出素子と、
前記筐体の内部であって前記変形部材と前記検出素子との間に設けられ、当該検出素子と電気的に接続され且つ当該変形部材と電気的に絶縁され、当該変形部材を介して作用する圧力を当該検出素子に伝達するとともに、当該検出素子の第１電気経路を構成する第１伝達部材と、
前記筐体の内部であって前記検出素子の後端側に設けられ、当該検出素子と電気的に接続され且つ前記第１伝達部材と電気的に絶縁され、当該検出素子の第２電気経路を構成する第２伝達部材と、
前記筐体の内部であって前記検出素子、前記第１伝達部材および前記第２伝達部材を収容して設けられ、当該第１伝達部材と電気的に接続され且つ当該第２伝達部材と電気的に絶縁され、当該第１伝達部材および当該第２伝達部材を介して当該検出素子に荷重を付与するとともに、前記第１電気経路を構成する付与部材と、
前記付与部材を、前記変形部材および前記筐体と電気的に絶縁された状態で当該筐体に固定する固定部材と
を含む圧力検出装置。
【手続補正２】
【補正対象書類名】明細書
【補正対象項目名】０００６
【補正方法】変更
【補正の内容】
【０００６】
本発明の圧力検出装置は、圧力の変化を検出する検出素子と、導電性を有し且つ前記検出素子を内部に収容する第１筐体と、導電性を有し且つ前記第１筐体を内部に収容する第２筐体とを備え、前記第１筐体と前記第２筐体とは電気的に絶縁されていることを特徴としている。
また、絶縁性を有し且つ前記第１筐体と前記第２筐体との間に配置され、当該第１筐体と当該第２筐体とを電気的に絶縁する絶縁部材をさらに含むことを特徴とすることができる。
また、前記第１筐体は、当該第１筐体の先端側および後端側から前記検出素子を挟むことで当該検出素子に荷重を付与し、前記第２筐体の先端側に取り付けられ、外部からの圧力を受けて変形する変形部材と、絶縁性を有し且つ前記第２筐体の内部であって前記変形部材と前記検出素子との間に設けられ、当該変形部材に作用する圧力を当該検出素子に伝達する絶縁伝達部材と、前記第１筐体を、前記変形部材および前記第２筐体と電気的に絶縁された状態で当該第２筐体に固定する固定部材とをさらに含むことを特徴とすることができる。
また、前記第１筐体は、筒状を呈するとともに外周面には外方に突出する突出部を備え、前記固定部材は、前記絶縁部材を介して前記第２筐体の内周面との間に前記突出部を挟み込むことで、前記第１筐体を当該第２筐体に固定することを特徴とすることができる。
また、前記第１筐体は、前記検出素子の外部に配置され、当該検出素子の先端側と電気的に接続され且つ当該検出素子の後端側と電気的に絶縁され、当該検出素子の先端側から荷重を付与する第１付与部材と、前記第１付与部材の後端側に設けられ、当該第１付与部材と電気的に接続され且つ前記検出素子と電気的に絶縁され、前記第１付与部材に固定されることで当該検出素子の後端側から荷重を付与する第２付与部材とを有することを特徴とすることができる。
また、前記第１筐体の内部に収容されるとともに前記検出素子の後端側と電気的に接続されることで、当該検出素子が出力する検出信号を伝導する伝導部材をさらに含み、前記第１筐体は、前記検出素子の先端側と電気的に接続されるとともに前記伝導部材と電気的に絶縁されることで、当該検出素子のグランドとなることを特徴とすることができる。
また、他の観点から捉えると、本発明の圧力検出装置は、筒状の筐体と、前記筐体の先端側に取り付けられ、当該筐体と電気的に接続され、外部からの圧力を受けて変形する変形部材と、前記筐体の内部であって前記変形部材の後端側に設けられ、当該変形部材を介して作用する圧力を検出する検出素子と、前記筐体の内部であって前記変形部材と前記検出素子との間に設けられ、当該検出素子と電気的に接続され且つ当該変形部材と電気的に絶縁され、当該変形部材を介して作用する圧力を当該検出素子に伝達するとともに、当該検出素子の第１電気経路を構成する第１伝達部材と、前記筐体の内部であって前記検出素子の後端側に設けられ、当該検出素子と電気的に接続され且つ前記第１伝達部材と電気的に絶縁され、当該検出素子の第２電気経路を構成する第２伝達部材と、前記筐体の内部であって前記検出素子、前記第１伝達部材および前記第２伝達部材を収容して設けられ、当該第１伝達部材と電気的に接続され且つ当該第２伝達部材と電気的に絶縁され、当該第１伝達部材および当該第２伝達部材を介して当該検出素子に荷重を付与するとともに、前記第１電気経路を構成する付与部材と、前記付与部材を、前記変形部材および前記筐体と電気的に絶縁された状態で当該筐体に固定する固定部材とを含む。
【手続補正３】
【補正対象書類名】明細書
【補正対象項目名】００１３
【補正方法】変更
【補正の内容】
【００１３】
［筐体部の構成］
筐体部３０は、先端側筐体３１と、先端側筐体３１の先端側に取り付けられたダイアフラムヘッド３２と、先端側筐体３１の後端側に取り付けられた後端側筐体３３とを備えている。ここで、本実施の形態では、先端側筐体３１および後端側筐体３３が、第２筐体あるいは筐体の一例として機能しており、ダイアフラムヘッド３２が、変形部材の一例として機能している。
【手続補正４】
【補正対象書類名】明細書
【補正対象項目名】００２２
【補正方法】変更
【補正の内容】
【００２２】
［検出機構部の構成］
検出機構部４０は、圧電素子４１と、先端電極部材４２と、第１後端電極部材４３と、第２後端電極部材４４とを備えている。また、検出機構部４０は、絶縁リング４５と、第１コイルバネ４６と、伝導部材４７と、保持部材４８とを備えている。さらに、検出機構部４０は、加圧部材４９と、支持部材５０と、第２コイルバネ５１と、収容部材５２とを備えている。さらにまた、検出機構部４０は、回路基板５３と、接続部材５４と、接地板５５と、Ｏリング５６とを備えている。また、検出機構部４０は、突き当てパイプ５７を備えている。そして、検出機構部４０は、絶縁パイプ６０と、第１絶縁部材６１と、第２絶縁部材６２と、第３絶縁部材６３とを備えている。ここで、本実施の形態では、第１後端電極部材４３および第２後端電極部材４４が、第２伝達部材の一例として機能している。
【手続補正５】
【補正対象書類名】明細書
【補正対象項目名】００２５
【補正方法】変更
【補正の内容】
【００２５】
（先端電極部材）
第１伝達部材の一例としての先端電極部材４２は、全体として円柱状を呈する部材である。この先端電極部材４２は、導電性を有するとともに耐熱性が高いステンレス等の金属材料によって構成されている。また、先端電極部材４２の先端側の面における中央部には、アルミナやジルコニア等を含む、絶縁性を呈するセラミックス材料をコートしてなる絶縁皮膜４２ａが形成されている。ここで、絶縁伝達部材の一例としての絶縁皮膜４２ａは、例えば円形状を呈するようになっており、その直径は、ダイアフラムヘッド３２の裏面に設けられた凸部３２ｄの直径よりも大きく、加圧部材４９の先端側に設けられた開口部の直径よりも小さい。
【手続補正６】
【補正対象書類名】明細書
【補正対象項目名】００４１
【補正方法】変更
【補正の内容】
【００４１】
（加圧部材）
第１筐体あるいは第１付与部材の一例としての加圧部材４９は、全体として筒状を呈する部材である。この加圧部材４９は、導電性を有するとともに耐熱性が高いステンレス等の金属材料によって構成されている。